(57)【要約】【課題】  返信用はがきに音声情報を記録可能に構成し、記録された音声情報がその外観を悪くすることなく誤って消去されてしまうことを防止する。【解決手段】  往信用はがき２と返信用はがき３とが連接してなる往復はがき１において、２枚の表面シート１０ａ，１０ｂに挟み込まれて音声情報の記録及び再生が可能な音声情報記録／再生部３０を、音声情報を記録するための配線パターン３７ｅが形成された接続基板５０が往信用はがき２と返信用はがき３とに跨るように２枚の表面シート１０ａ，１０ｂに挟み込む。【選択図】図１
2006001038.tif 000002
【特許請求の範囲】
【請求項１】
往信部と返信部とが連接してなる音声情報送付体であって、
シート状に構成され、音声情報の記録及び再生が可能な第１の音声情報記録／再生手段と、
前記第１の音声情報記録／再生手段を挟み込む２枚の表面シートとを有し、
前記第１の音声情報記録／再生手段は、音声情報を記録するための配線が前記往信部と前記返信部とに跨るように前記２枚の表面シートに挟み込まれていることを特徴とする音声情報送付体。
【請求項２】
請求項１に記載の音声情報送付体において、
前記第１の音声情報記録／再生手段は、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に接続され、前記音声情報入出力手段を介して入力された音声情報を前記ＩＣチップに記録するための第２の指示信号を前記ＩＣチップに入力する操作が行われる第２のスイッチとを有し、
前記ＩＣチップと前記第２のスイッチとを接続するための配線が前記往信部と前記返信部とに跨るように前記２枚の表面シートに挟み込まれていることを特徴とする音声情報送付体。
【請求項３】
請求項１に記載の音声情報送付体において、
前記第１の音声情報記録／再生手段は、
音声情報を入出力するための音声情報入出力手段と、
音声情報の入出力及び該音声情報の入出力を行う旨の指示入力が可能な接続端子と、
前記音声情報入出力手段または前記接続端子を介して入力された音声情報が記録される記憶領域を具備し、前記音声情報入出力手段または前記接続端子を介して入力された音声情報を前記記憶領域に記録し、また、前記記憶領域に記録された音声情報を前記音声情報入出力手段または前記接続端子を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に接続され、前記音声情報入出力手段を介して入力された音声情報を前記ＩＣチップに記録するための第２の指示信号を前記ＩＣチップに入力する操作が行われる第２のスイッチとを有し、
前記ＩＣチップと前記第２のスイッチとを接続するための配線が前記往信部と前記返信部とに跨るように前記２枚の表面シートに挟み込まれていることを特徴とする音声情報送付体。
【請求項４】
請求項１乃至３のいずれか１項に記載の音声情報送付体において、
シート状に構成され、音声情報の記録及び再生が可能な第２の音声情報記録／再生手段が、前記２枚の表面シートの前記往信部となる領域に挟み込まれ、
前記往信部のうち、前記第２の音声情報記録／再生手段が設けられた領域が、他の領域から切り離し可能に構成されていることを特徴とする音声情報送付体。
【発明の詳細な説明】
【技術分野】
【０００１】
本発明は、往信部と返信部とが連接してなる音声情報送付体に関する。
【背景技術】
【０００２】
従来より、往信用はがきと返信用はがきとが連接してなる往復はがきは、結婚式の二次会等のイベントへの招待状や、商品やサービスの注文書等、多くの用途に利用されている。このような往復はがきにおいては、往信用はがきの表面に送付先の住所や氏名等の宛先情報が記載され、その裏面に、送付元から送付先に伝達する情報が記載される。また、返信用はがきの表面に送付元の住所や氏名等の宛先情報が記載され、その裏面には、送付先から送付元に伝達する情報を記入するための領域が設けられている。
【０００３】
このように構成された往復はがきは、送付先の住所や氏名等の宛先情報が表出するように往信用はがきと返信用はがきとの連接部分にて折り畳まれて送付先に送付され、その後、送付先において、往信用はがきと返信用はがきとが連接部分にて切り離されるとともに、送付先から送付元に伝達する情報が返信用はがきの裏面に記入され、返信用はがきのみが送付元に返信される。
【０００４】
このように、往信用はがきと返信用はがきとが連接してなる往復はがきにおいては、送付元から送付先へまたは送付先から送付元へ伝達可能な情報量が限られており、かつ、往信用はがきと返信用はがきのそれぞれには宛先情報を記入する必要があるため、その情報量がさらに限られてしまう。
【０００５】
そこで、郵便はがきの規格縦寸法の同等あるいは２倍の縦寸法を有し、かつ、規格横寸法の４倍の横寸法を有する用紙を、郵便はがき大に折り畳む構成とし、それにより、郵便はがきの規格寸法にて多くの情報を伝達することができる往復はがきが考えられている（例えば、特許文献１参照。）。
【０００６】
しかしながら、このような往復はがきにおいても、伝達可能な情報量は増加するものの、送付元から送付先へ、または送付先から送付元に情報を視覚的にしか伝達することができず、それにより、伝達可能な情報の種類が限定されてしまう。
【０００７】
ここで、音声情報の記録及び再生が可能に構成された音声カードが考えられている（例えば、特許文献２参照。）。
【０００８】
このような音声カードにおいては、音声情報を入力するための音声入力手段と、音声入力手段を介して入力された音声情報が記録される記録手段と、記録手段に記録された音声情報を出力するための音声出力手段と、音声情報を音声入力手段を介して入力する際に押下される録音ボタンと、音声情報を音声出力手段を介して出力する際に押下される再生ボタンと、これらの動作を制御するための制御手段とが設けられており、録音ボタンを押下して音声情報を記録し、再生ボタンを押下することにより音声情報が再生されることになる。このような音声カードを上述したような往復はがきに適用すれば、往復はがきの送付元から送付先へ、または送付先から送付元に音声によって情報を伝達することができるようになる。例えば、結婚式の二次会の招待状において、返信用はがきを、音声情報を記録可能に構成しておき、招待状の送付先から結婚式の二次会への出欠席の返事を送付する際、招待状の送付元へのメッセージを返信用はがきに録音して返信すれば、招待状の送付元において、招待状の送付先からのメッセージを音声で受け取ることができる。
【０００９】
ここで、このように音声情報を記録可能に構成された音声カードに対する音声情報の記録は、音声入力手段を介して入力された音声情報を、記録手段に記録された音声情報に上書きするように行われる。そのため、記録手段に音声情報が記録された後に録音ボタンが誤って押下された場合、既に記録手段に記録されている音声情報が消去されることになる。そこで、上述した特許文献２には、録音ボタンを容易に切り離すことができるような構成としておき、音声情報の記録後に録音ボタンを切り離すことにより、録音ボタンの誤操作によって音声情報が消去されてしまうことを防止する技術が記載されている。
【特許文献１】特開２００１−１２１８５８号公報
【特許文献２】特公平３−４５４３３号公報
【発明の開示】
【発明が解決しようとする課題】
【００１０】
しかしながら、上述したように、録音ボタンを容易に切り離し可能に構成しておき、音声情報の録音後に録音ボタンを切り離すことにより、録音ボタンの誤操作によって音声情報が消去されてしまうことを回避するものにおいては、上述したように返信用はがきに音声情報を記録してこの返信用はがきを送付する場合、返信用はがきが、その一部が切り離された状態で送付元に返信されることになるため、送付される返信用はがきの外観が悪くなってしまうという問題点がある。
【００１１】
そして、このような問題点は、上述したような往復はがきに限らず、往信部と返信部とが連接してなる音声情報送付体においても同様に発生することになる。
【００１２】
本発明は、上述したような従来の技術が有する問題点に鑑みてなされたものであって、往信部と返信部とが連接してなる音声情報送付体において、返信部に音声情報を記録可能に構成し、記録された音声情報がその外観を悪くすることなく誤って消去されてしまうことを防止することができる音声情報送付体を提供することを目的とする。
【課題を解決するための手段】
【００１３】
上記目的を達成するために本発明は、
往信部と返信部とが連接してなる音声情報送付体であって、
シート状に構成され、音声情報の記録及び再生が可能な第１の音声情報記録／再生手段と、
前記第１の音声情報記録／再生手段を挟み込む２枚の表面シートとを有し、
前記第１の音声情報記録／再生手段は、音声情報を記録するための配線が前記往信部と前記返信部とに跨るように前記２枚の表面シートに挟み込まれていることを特徴とする。
【００１４】
また、前記第１の音声情報記録／再生手段は、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に接続され、前記音声情報入出力手段を介して入力された音声情報を前記ＩＣチップに記録するための第２の指示信号を前記ＩＣチップに入力する操作が行われる第２のスイッチとを有し、
前記ＩＣチップと前記第２のスイッチとを接続するための配線が前記往信部と前記返信部とに跨るように前記２枚の表面シートに挟み込まれていることを特徴とする。
【００１５】
また、前記第１の音声情報記録／再生手段は、
音声情報を入出力するための音声情報入出力手段と、
音声情報の入出力及び該音声情報の入出力を行う旨の指示入力が可能な接続端子と、
前記音声情報入出力手段または前記接続端子を介して入力された音声情報が記録される記憶領域を具備し、前記音声情報入出力手段または前記接続端子を介して入力された音声情報を前記記憶領域に記録し、また、前記記憶領域に記録された音声情報を前記音声情報入出力手段または前記接続端子を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に接続され、前記音声情報入出力手段を介して入力された音声情報を前記ＩＣチップに記録するための第２の指示信号を前記ＩＣチップに入力する操作が行われる第２のスイッチとを有し、
前記ＩＣチップと前記第２のスイッチとを接続するための配線が前記往信部と前記返信部とに跨るように前記２枚の表面シートに挟み込まれていることを特徴とする。
【００１６】
また、シート状に構成され、音声情報の記録及び再生が可能な第２の音声情報記録／再生手段が、前記２枚の表面シートの前記往信部となる領域に挟み込まれ、
前記往信部のうち、前記第２の音声情報記録／再生手段が設けられた領域が、他の領域から切り離し可能に構成されていることを特徴とする。
【００１７】
上記のように構成された本発明においては、往信部と返信部とが連接した状態で、２枚の表面シートに挟み込まれた第１の音声情報記録／再生手段に音声情報を記録する。その後、返信部を送付するために往信部と返信部とを連接部分にて切り離すと、２枚の表面シートに挟み込まれた第１の音声情報記録／再生手段のうち、往信部と返信部とに跨るように２枚の表面シートに挟み込まれ、音声情報を記録するための配線が切断される。これにより、往信部と返信部とが切り離された状態では、第１の音声情報記録／再生手段に音声情報を記録することができなくなり、第１の音声情報記録／再生手段に既に記録された音声情報が誤って消去されてしまうことが防止される。また、第１の音声情報記録／再生手段のうち、音声情報を記録するための配線以外の部分は、返信部側の２枚の表面シートに挟み込まれているので、返信部の送付先において、第１の音声情報記録／再生手段に記録された音声情報を再生することができる。
【発明の効果】
【００１８】
以上説明したように本発明においては、往信部と返信部とが連接してなる音声情報送付体において、２枚の表面シートに挟み込まれて音声情報の記録及び再生が可能な第１の音声情報記録／再生手段が、音声情報を記録するための配線が往信部と返信部とに跨るように２枚の表面シートに挟み込まれている構成としたため、第１の音声情報記録／再生手段に音声情報を記録した後に、返信部を送付するために往信部と返信部とを連接部分にて切り離すことによって、２枚の表面シートに挟み込まれた第１の音声情報記録／再生手段のうち、音声情報を記録するための配線が切断され、第１の音声情報記録／再生手段に音声情報を記録することをできなくすることができ、それにより、外観を悪くすることなく、記録された音声情報が誤って消去されてしまうことを防止することができる。
【００１９】
また、音声情報の記録及び再生が可能な第２の音声情報記録／再生手段が、２枚の表面シートの往信部となる領域に挟み込まれ、往信部のうち、第２の音声情報記録／再生手段が設けられた領域が、他の領域から切り離し可能に構成されているものにおいては、往復部の送付先において、音声情報が記録された第２の音声情報記録／再生手段が挟み込まれた領域を往信部から切り離して携帯したり、保管したりすることができる。
【発明を実施するための最良の形態】
【００２０】
以下に、本発明の実施の形態について図面を参照して説明する。
【００２１】
（第１の実施の形態）
図１は、本発明の音声情報送付体の第１の実施の形態となる往復はがきを示す図であり、（ａ）は表面から見た図、（ｂ）は内部構造を示す図、（ｃ）は裏面から見た図、（ｄ）は（ａ）に示したＡ−Ａ’断面図である。また、図２は、図１に示した往復はがき１の積層状態を示す図である。
【００２２】
本形態は図１及び図２に示すように、往信部となる往信用はがき２と返信部となる返信用はがき３とが連接部４を介して連接してなる往復はがき１であって、音声情報の記録及び再生が可能なシート状の第１の音声情報記録／再生部３０が、紙基材等の柔軟性を有し、かつ薄型の基材からなる２枚の支持シート２０ａ，２０ｂに挟み込まれ、また、音声情報記録／再生部３０が挟み込まれた支持シート２０ａ，２０ｂが、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２３】
また、音声情報記録／再生部３０は、ピエゾ素子（不図示）や振動板（不図示）からシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子、並びにＩＣチップ３４と電気的に接続された第１のスイッチ３３ａ及び第２のスイッチ３３ｂが搭載された音声基板３２と、音声基板３２に接続され、音声基板３２に電源を供給するための柔軟性を有してなるペーパー電池３１と、スイッチ３３ｂとＩＣチップ３４とを電気的に接続するための配線パターン３７ｅが形成された接続基板５０とから構成されている。これにより、音声情報記録／再生部３０はシート状に構成されている。さらに、音声基板３２には、外部からＩＣチップ３４に音声情報を入力したり、ＩＣチップ３４に記録された音声情報を外部に出力したりするための接続端子３５が設けられ、また、ペーパー電池３１の正極とスイッチ３３ａ，３３ｂとを接続する配線パターン３７ａと、ＩＣチップ３４のポート端子のうち、ＩＣチップ３４のメモリ領域に記録された音声情報を出力するための第１の指示信号が入力されるポート端子とスイッチ３３ａとを接続する配線パターン３７ｂと、ＩＣチップ３４のポート端子のうち、音声情報入出力部４０を介して入力された音声情報をＩＣチップ３４のメモリ領域に記録するための第２の指示信号が入力されるポート端子と接続基板５０に形成された配線パターン３７ｅとを接続する配線パターン３７ｃと、配線パターン３７ｅとスイッチ３３ｂとを接続する配線パターン３７ｄとが形成されている。なお、配線パターン３７ａと配線パターン３７ｂとはスイッチ３３ａの下部にて電気的に接続されておらず、また、配線パターン３７ａと配線パターン３７ｄとはスイッチ３３ｂの下部にて電気的に接続されていない。また、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行うものであって、配線パターン３７ｂに接続されたポート端子が第１の指示信号の電位となる電源電位になった場合、ＩＣチップ３４のメモリ領域に記録された音声情報を音声情報入出力部４０を介して出力し、また、配線パターン３７ｃに接続されたポート端子が第２の指示信号の電位となる電源電位になっている間だけ、音声情報入出力部４０を介して入力された音声情報をＩＣチップ３４のメモリ領域に記録する。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。
【００２４】
これら音声情報記録／再生部３０を構成する音声情報入出力部４０、音声基板３２、ペーパー電池３１及び接続基板５０は、音声情報入出力部４０、音声基板３２、ペーパー電池３１、並びに接続基板５０の一部が返信用はがき３側となるように支持シート２０ａ，２０ｂに挟み込まれている。すなわち、音声情報記録／再生部３０の接続基板５０上に形成された配線パターン３７ｅが、連接部４を介して往信用はがき２と返信用はがき３とに跨るように支持シート２０ａ，２０ｂに挟み込まれた構成となっている。
【００２５】
また、図２に示すように、支持シート２０ａにおいては、表面シート１０ａに積層された場合に連接部４と対向する領域を介して２つに分割されており、また、音声情報記録／再生部３０と積層された場合に、ペーパー電池３１、スイッチ３３ａ，３３ｂ、ＩＣチップ３４及び音声情報入出力部４０と対向する領域に穴２１ａ，２２，２３，２４ａがそれぞれ形成されており、また、支持シート２０ｂにおいては、表面シート１０ｂに積層された場合に連接部４と対向する領域を介して２つに分割されており、また、音声情報記録／再生部３０と積層された場合に、ペーパー電池３１及び音声情報入出力部４０と対向する領域に穴２１ｂ，２４ｂがそれぞれ形成されている。
【００２６】
このように、支持シート２０ａの、ペーパー電池３１、スイッチ３３ａ，３３ｂ、ＩＣチップ３４及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、スイッチ３３ａ，３３ｂ、ＩＣチップ３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２７】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２８】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００２９】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００３０】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００３１】
また、図１に示すように、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、連接部４を介して往信用はがき２となる領域に、この往復はがき１の送付先の住所や氏名等を記入するための宛先情報記入領域１５が設けられ、また、連接部４を介して返信用はがき３となる領域のうち、支持シート２０ａの穴２２を介してスイッチ３３ａと対向する領域にはスイッチ３３ａを操作するための再生ボタン１１ａを示す印刷が施され、また、支持シート２０ａの穴２２を介してスイッチ３３ｂと対向する領域にはスイッチ３３ｂを操作するための録音ボタン１１ｂを示す印刷が施されている。また、支持シート２０ａの穴２４ａを介して音声情報入出力部４０と対向する領域には、音声情報入出力部４０から出力された音声を外部に出力するための微細な穴が羅列されてなる音声出力領域１４が形成されている。このように微細な穴が羅列されてなる音声出力領域１４が形成されているため、音声情報入出力部４０が表裏を表面シート１０ａ，１０ｂで覆われた状態であっても、音声情報入出力部４０から出力される音量の低下を補うことができる。なお、音声出力領域１４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、表面シート１０ａのうち連接部４を介して返信用はがき３となる領域には、往復はがき１の送付先にてこの返信用はがき３を用いて往復はがき１の送付元に伝達すべき情報を記入するための情報記入欄１３が設けられている。なお、図１においては、音声出力領域１４上に情報が印刷されていないが、実際は、表面シート１０ａの全面に再生ボタン１１ａ及び録音ボタン１１ｂを含めて情報が印刷されることになるため、音声出力領域１４上にも情報を印刷することができる。また、再生ボタン１１ａ及び録音ボタン１１ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。また、連接部４は、ミシン目を形成すること等により切り離しやすい構造とすることが好ましい。本形態においては、支持シート２０ａ，２０ｂが連接部４と対向する領域を介してそれぞれ分割されているため、表面シート１０ａ，１０ｂにミシン目を形成しておくことになる。
【００３２】
以下に、上述した往復はがき１の使用方法について説明する。
【００３３】
まず、往復はがき１の送付元において、表面シート１０ａの返信用はがき３となる領域に再生ボタン１１ａ，１１ｂ及び情報記入欄１３を印刷するとともに、表面シート１０ｂの往信用はがき２となる領域にこの往復はがき１の送付先に伝達する情報となる案内情報１７を、また、返信用はがき３となる領域に返信用はがき３の送付先の住所や氏名等の宛先情報１６をそれぞれ印刷する。
【００３４】
また、録音ボタン１１ｂを介してスイッチ３３ｂを押下しながら、往復はがき１の送付先に伝達したい音声情報を音声情報入出力部４０を介して入力し、ＩＣチップ３４内のメモリ領域に記録する。
【００３５】
図４は、図１に示した録音ボタン１１ｂを介してスイッチ３３ｂを押下した場合の動作するための図であり、（ａ）はスイッチ３３ｂが押下されていない状態におけるスイッチ３３ｂ近傍の断面図、（ｂ）はスイッチ３３ｂが押下された状態におけるスイッチ３３ｂ近傍の断面図である。
【００３６】
図１に示した往復はがき１において、録音ボタン１１ｂを介してスイッチ３３ｂが押下されていない場合は、図４（ａ）に示すように、音声基板３２に形成された配線パターン３７ａと配線パターン３７ｄとが電気的に接続されていない状態となっている。そのため、ＩＣチップ３４のポート端子のうち、配線パターン３７ｃ，３７ｅを介して配線パターン３７ｄと接続されたポート端子、すなわち、音声情報入出力部４０を介して入力された音声情報をＩＣチップ３４のメモリ領域に記録するための第２の指示信号が入力されるポート端子はオープン状態となっており、この状態において音声情報を音声情報入出力部４０を介して入力しても、入力された音声情報はＩＣチップ３４のメモリ領域に記録されない。
【００３７】
一方、録音ボタン１１ｂを介してスイッチ３３ｂが押下されると、図４（ｂ）に示すように、音声基板３２に形成された配線パターン３７ａと配線パターン３７ｄとが、スイッチ３３ｂの裏面に塗布された導電剤３８を介して電気的に接続された状態となる。すると、配線パターン３７ａがペーパー電池３１の正極に接続されているため、配線パターン３７ｃ，３７ｅを介して配線パターン３７ｄと接続されたポート端子、すなわち、音声情報入出力部４０を介して入力された音声情報をＩＣチップ３４のメモリ領域に記録するための第２の指示信号が入力されるポート端子が電源電位となって第２の指示信号がＩＣチップ３４に入力されたことになり、それにより、この状態において音声情報を音声情報入出力部４０を介して入力すると、入力された音声情報がＩＣチップ３４のメモリ領域に記録されることになる。
【００３８】
なお、上述したように往復はがき１に印刷を施してから音声情報を記録することにより、往復はがき１の送付先に所望の異なる音声情報を記録することができるが、音声情報を記録してから印刷を施すことも考えられる。また、音声情報入出力部４０を介して音声情報を入力するのではなく、音声基板３２に設けられた接続端子３５を介して外部から音声情報を入力することも考えられる。その場合、接続端子３５を介しては、音声情報とともにこの音声情報の入力を行う旨の指示が入力され、ＩＣチップ３４においては、この指示が入力された場合、接続端子３５を介して入力された音声情報をメモリ領域に記録することになる。また、接続端子３５を介しては、ＩＣチップ３４のメモリ領域に記録された音声情報を外部に出力することもできる。その場合、ＩＣチップ３４のメモリ領域に記録された音声情報を出力する旨の指示が接続端子３５を介して入力され、ＩＣチップ３４において、この指示が入力された場合、メモリ領域に記憶された音声情報を接続端子３５を介して出力することになる。
【００３９】
このように、情報が印刷され、かつ、音声情報が記録された往復はがき１が送付され、送付先にて受け取られた後、再生ボタン１１ａを介してスイッチ３３ａが押下されると、ＩＣチップ３４のメモリ領域に記録された音声情報が音声情報入出力部４０を介して出力される。
【００４０】
上述した録音ボタン１１ｂを介してのスイッチ３３ｂの押下時と同様に、再生ボタン１１ａを介してスイッチ３３ａが押下されていない状態においては、音声基板３２に形成された配線パターン３７ａと配線パターン３７ｂとが電気的に接続されていない状態となっており、そのため、ＩＣチップ３４のポート端子のうち、配線パターン３７ｂと接続されたポート端子、すなわち、ＩＣチップ３４のメモリ領域に記録された音声情報を出力するための第１の指示信号が入力されるポート端子はオープン状態となっており、ＩＣチップ３４のメモリ領域に記録された音声情報は出力されない。
【００４１】
一方、再生ボタン１１ａを介してスイッチ３３ａが押下されると、音声基板３２に形成された配線パターン３７ａと配線パターン３７ｂとが、スイッチ３３ａの裏面に塗布された導電剤（不図示）を介して電気的に接続された状態となる。すると、配線パターン３７ａがペーパー電池３１の正極に接続されているため、配線パターン３７ｂと接続されたポート端子、すなわち、ＩＣチップ３４のメモリ領域に記録された音声情報を出力するための第１の指示信号が入力されるポート端子が電源電位となって第１の指示信号がＩＣチップ３４に入力されたことになり、それにより、ＩＣチップ３４のメモリ領域に記録された音声情報が音声情報入出力部４０を介して出力される。このように、再生ボタン１１ａを介してスイッチ３３ａを押下することにより、ＩＣチップ３４に記録された音声情報が音声情報入出力部４０を介して出力されることになる。
【００４２】
また、往復はがき１の送付先において、返信用はがき３を用いて往復はがき１の送付元に伝達すべき情報を情報記入欄１３に記入し、その後、連接部４を介して往信用はがき２と返信用はがき３とを切り離すと、それに伴って音声情報記録／再生部３０の接続基板５０が切断され、それにより、接続基板５０に形成された配線パターン３７ｅが断線する。なお、接続基板５０においては、フィルム等の切断しやすい材料から構成されており、また、連接部４に対向する領域に、配線パターン３７ｅの接続状態を損ねないような形状に切り欠き５１が形成されているとともに、配線パターン３７ｅの線幅が細くなっており、連接部４を介して往信用はがき２と返信用はがき３とが切り離された場合に容易に切断されるような構成となっている。また、接続基板５０の連接部４に対向する領域に切り欠き５１の代わりにミシン目を形成しておくことによっても、連接部４を介して往信用はがき２と返信用はがき３とが切り離された場合に容易に切断可能な構成とすることも考えられる。
【００４３】
図５は、図１に示した往復はがき１が連接部４を介して往信用はがき２と返信用はがき３とに切り離された状態における内部構造を示す図である。
【００４４】
図５に示すように、連接部４を介して往信用はがき２と返信用はがき３とが切り離されると、接続基板５０が切断され、それにより、接続基板５０に形成された配線パターン３７ｅが断線する。この状態においては、スイッチ３３ｂに接続された配線パターン３７ｄと、音声情報入出力部４０を介して入力された音声情報をＩＣチップ３４のメモリ領域に記録するための第２の指示信号が入力されるポート端子に接続された配線パターン３７ｃとが電気的に接続されていない状態となり、それにより、この状態で録音ボタン１１ｂを介してスイッチ３３ｂが押下されても、音声情報入出力部４０を介して入力された音声情報をＩＣチップ３４のメモリ領域に記録するための第２の指示信号が入力されるポート端子が電源電位にならない。そのため、この状態で音声情報入出力部４０を介して音声情報を入力しても、入力された音声情報はＩＣチップ３４のメモリ領域に記録されない。
【００４５】
その後、往復はがき１の送付先から返信はがき３が送付されることになるが、この際、上述したように、録音ボタン１１ｂを介してスイッチ３３ｂが押下されてもＩＣチップ３４に音声情報が記録されない状態となっているため、返信はがき３の送付後、録音ボタン１１ｂを介してのスイッチ３３ｂの誤操作によって、既に記録されている音声情報が消去されてしまうことを防止することができる。
【００４６】
このようにして送付された返信用はがき３が返信用はがき３の送付先に届けられた後、返信用はがき３の送付先において、再生ボタン１１ａを介してスイッチ３３ａを押下すると、返信用はがき３の送付元にてＩＣチップ３４に記録された音声情報が音声情報出力部４０を介して出力されることになる。
【００４７】
（第２の実施の形態）
図６は、本発明の音声情報送付体の第２の実施の形態となる往復はがきを示す図であり、（ａ）は表面から見た図、（ｂ）は内部構造を表面側から見た図、（ｃ）は裏面から見た図、（ｄ）は内部構造を裏面側から見た図、（ｅ）は（ａ）に示したＡ−Ａ’断面図である。また、図７は、図６に示した往復はがき１０１の積層状態を示す図である。
【００４８】
本形態は図６に示すように、第１の実施の形態に示したものに対して、往信用はがき２側に、音声情報の記録及び再生が可能なシート状の第２の音声情報記録／再生部１３０が支持シート２０ａ，２０ｂ及び表面シート１０ａ，１０ｂに挟み込まれて設けられている点が異なるものである。
【００４９】
この音声情報記録／再生部１３０は、ピエゾ素子（不図示）や振動板（不図示）からシート状に構成されて音声情報を出力するための音声情報出力部１４０と、音声情報が記録される記憶領域であるメモリ領域を具備する薄型のＩＣチップ１３４やコンデンサ、抵抗等の回路素子、並びにＩＣチップ１３４と電気的に接続されたスイッチ１３３が搭載された音声基板１３２と、音声基板１３２に接続され、音声基板１３２に電源を供給するための柔軟性を有してなるペーパー電池１３１とから構成されている。これにより、音声情報記録／再生部１３０はシート状に構成されている。さらに、音声基板１３２には、外部からＩＣチップ１３４に音声情報を入力したり、ＩＣチップ１３４に記録された音声情報を外部に出力したりするための接続端子１３５が設けられ、また、ペーパー電池１３１の正極とスイッチ１３３とを接続するための配線パターン１３７ａと、ＩＣチップ１３４のポート端子のうち、ＩＣチップ１３４のメモリ領域に記録された音声情報を出力するための指示信号が入力されるポート端子とスイッチ１３３とを接続するための配線パターン１３７ｂとが形成されている。なお、配線パターン１３７ａと配線パターン１３７ｂとはスイッチ１３３の下部にて電気的に接続されていない。また、音声基板１３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ１３４が接合されている。また、ＩＣチップ１３４は、接続端子１３５を介して入力された音声情報をメモリ領域に記録し、また、メモリ領域に記録された音声情報を音声情報出力部１４０を介して出力する制御を行うものであって、配線パターン１３７ｂに接続されたポート端子が指示信号の電位となる電源電位になった場合、ＩＣチップ１３４のメモリ領域に記録された音声情報を出力する。また、スイッチ１３３は、ＩＣチップ１３４のメモリ領域に記録された音声情報を音声情報出力部１４０を介して出力する際に操作されるものである。
【００５０】
また、図７に示すように、支持シート２０ａにおいては、第１の実施の形態にて示したものと同様に、表面シート１０ａに積層された場合に連接部４と対向する領域を介して分割され、さらに、往信用はがき２側においては、音声情報記録／再生部１３０が挟み込まれる領域が他の領域から分割されている。また、この領域においては、音声情報記録／再生部１３０と積層された場合に、ペーパー電池１３１及び音声情報出力部１４０と対向する領域に穴１２１ｂ，１２４ｂがそれぞれ形成されている。なお、返信用はがき３側においては、第１の実施の形態に示したものと同様に、音声情報記録／再生部３０と積層された場合に、ペーパー電池３１、スイッチ３３ａ，３３ｂ、ＩＣチップ３４及び音声情報入出力部４０と対向する領域に、穴２１ａ，２２，２３，２４ａがそれぞれ形成されている。
【００５１】
また、支持シート２０ｂにおいては、第１の実施の形態にて示したものと同様に、表面シート１０ｂに積層された場合に連接部４と対向する領域を介して分割され、さらに、往信用はがき２側においては、音声情報記録／再生部１３０が挟み込まれる領域が他の領域から分割されている。また、この領域においては、音声情報記録／再生部１３０と積層された場合に、ペーパー電池１３１、スイッチ１３３、ＩＣチップ１３４及び音声情報出力部１４０と対向する領域に穴１２１ａ，１２２，１２３，１２４ａがそれぞれ形成されている。なお、返信用はがき３側においては、第１の実施の形態に示したものと同様に、音声情報記録／再生部３０と積層された場合に、ペーパー電池３１及び音声情報入出力部４０と対向する領域に、穴２１ｂ，２４ｂがそれぞれ形成されている。
【００５２】
このように、支持シート２０ａの、ペーパー電池３１，１３１、スイッチ３３ａ，３３ｂ、ＩＣチップ３４及び音声情報入出力部４０，１４０と対向する領域に穴２１ａ，１２１ａ，２２，２３，２４ａ，１２４ａがそれぞれ形成され、また、支持シート２０ｂの、ペーパー電池３１，１３１、音声情報入出力部４０，１４０、スイッチ１３３及びＩＣチップ１３４と対向する領域に穴２１ｂ，１２１ｂ，２４ｂ，１２４ｂ、１２２，１２３がそれぞれ形成されることにより、ペーパー電池３１，１３１、スイッチ３３ａ，３３ｂ，１３３、ＩＣチップ３４，１３４及び音声情報入出力部４０，１４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００５３】
図８は、図６及び図７に示した支持シート２０ａ，２０ｂと音声情報記録／再生部１３０とを積層した状態を示す図であり、（ａ）は支持シート２０ｂと音声情報記録／再生部１３０とを積層した状態を示す図、（ｂ）は支持シート２０ａと音声情報記録／再生部１３０とを積層した状態を示す図である。なお、図８においては、支持シート２０ａ，２０ｂのうち、音声情報記録／再生部１３０と積層される領域のみを示す。
【００５４】
図８（ａ）に示すように、支持シート２０ｂのペーパー電池１３１と対向する領域に形成された穴１２１ｂはペーパー電池１３１よりも小さく、また、スイッチ１３３と対向する領域に形成された穴１２２はスイッチ１３３よりも大きく、また、ＩＣチップ１３４と対向する領域に形成された穴１２３はＩＣチップ１３４よりも大きく、また、音声情報出力部１４０と対向する領域に形成された穴１２４ｂは音声情報出力部１４０よりも大きくなっている。
【００５５】
また、図８（ｂ）に示すように、支持シート２０ａのペーパー電池１３１と対向する領域に形成された穴１２１ａはペーパー電池１３１よりも小さく、また、音声情報出力部１４０と対向する領域に形成された穴１２４ａは音声情報出力部１４０よりも小さくなっている。
【００５６】
これにより、音声情報記録／再生部１３０は、２枚の支持シート２０ａ，２０ｂによって一部のみが表裏から挟み込まれるように積層され、支持シート２０ａ，２０ｂの表裏に施された粘着加工によって固定されている。
【００５７】
また、本形態における表面シート１０ｂは図６に示すように、第１の実施の形態に示したものに対して、連接部４を介して往信用はがき２となる領域に、音声情報記録／再生部１３０が挟み込まれた領域を他の領域から切り離すためのミシン目１１８が形成されているとともに、支持シート２０ｂの穴１２４ｂを介して音声情報出力部１４０と対向する領域に、音声情報出力部１４０から出力された音声を外部に出力するための微細な穴が羅列されてなる音声出力領域１１４が形成され、また、支持シート２０ｂの穴１２２を介してスイッチ１３３と対向する領域にスイッチ１３３を操作するための再生ボタン１１８が印刷されている点が異なるものである。
【００５８】
以下に、上述した往復はがき１０１の使用方法について説明する。
【００５９】
往復はがき１０１の送付元においては、表面シート１０ａ，１０ｂに上述したような情報を印刷するとともに、音声情報記録／再生部１３０の音声基板１３２に設けられた接続端子１３５を介して音声情報をＩＣチップ１３４に記録し、この往復はがき１０１を送付先に送付する。なお、この際、接続端子１３５を介しては、音声情報とともにこの音声情報の入力を行う旨の指示が入力され、ＩＣチップ１３４においては、この指示に従って音声情報をメモリ領域に記録する。また、第１の実施の形態に示したものと同様に、表面シート１０ａの返信用はがき３となる領域に設けられた録音ボタン１１ｂを介してスイッチ３３ｂを押下しながら音声情報入出力部４０を介して音声情報を入力し、ＩＣチップ３４に音声情報を記録しておくことも考えられる。
【００６０】
往復はがき１０１が送付先に送付され、往復はがき１０１の送付先において、表面シート１０ｂに設けられた再生ボタン１１１を介して音声情報記録／再生部１３０のスイッチ１３３を押下すると、ＩＣチップ１３４に記録された音声情報が音声情報出力部１４０を介して出力される。
【００６１】
その後、往復はがき１０１の送付先においては、第１の実施の形態に示したものと同様に、音声情報記録／再生部３０のＩＣチップ３４に音声情報を記録し、返信用はがき３を連接部４を介して切り離し、返信用はがき３の送付先に送付することになる。
【００６２】
また、本形態においては、往信用はがき２のうち、音声情報記録／再生部１３０が挟み込まれた領域が他の領域から切り離すことができる。そのため、例えば、結婚式の二次会の招待状として往復はがき１０１を用いる場合に、往信用はがき２の音声情報記録／再生部１３０が挟み込まれた領域に、結婚式の二次会の日時や場所を示す案内情報１７を印刷しておき、さらに、音声情報記録／再生部１３０にその詳細情報等を記録しておけば、往復はがき１０１の受取人は、往信用はがき２から音声情報記録／再生部１３０が挟み込まれた領域を切り離し、小型化された案内状を携帯して結婚式の二次会の会場に出向くことができる。また、上述したように、往信用はがき２の音声情報記録／再生部１３０が挟み込まれた領域に、結婚式の二次会の日時や場所を示す案内情報１７を印刷しない場合であっても、切り離した領域をカードとして保管しておくことができる。また、このように音声情報が記録されたものをカードとして保管しておくことについては、返信用はがき３の音声情報記録／再生部３０が挟み込まれた領域についても同様に考えられ、その場合、返信用はがき３においても、音声情報記録／再生部３０が挟み込まれた領域を他の領域から切り離すためのミシン目等を形成しておく必要がある。
【００６３】
なお、上述した２つの実施の形態においては、支持シート２０ａ，２０ｂが連接部４と対向する領域にて分割された構成としているが、支持シート２０ａ，２０ｂを切断容易な材料から構成したり、連接部４と対向する領域にミシン目を形成したりして、支持シート２０ａ，２０ｂを連接部４と対向する領域にて分割しない構成とすることも考えられる。また、同様に、第２の実施の形態において、支持シート２０ａ，２０ｂの往信用はがき２側の領域を分割しない構成とすることも考えられる。
【００６４】
また、上述した２つの実施の形態においては、音声情報記録／再生部３０が２枚の支持シート２０ａ，２０ｂに挟み込まれ、さらにこの支持シート２０ａ，２０ｂが２枚の表面シート１０ａ，１０ｂに挟み込まれる構成としたが、支持シート２０ａ，２０ｂを設けずに、音声情報記録／再生部３０が２枚の表面シート１０ａ，１０ｂのみに挟み込まれる構成とすることも考えられる。
【００６５】
また、上述した２つの実施の形態においては、往復用はがき２と返信用はがき３とが連接部４を介して連接してなる往復はがき１，１０１を例に挙げて説明したが、本発明の音声情報送付体はこれに限らず、往信部と返信部とが連接してなるものであれば適用することができる。
【図面の簡単な説明】
【００６６】
【図１】本発明の音声情報送付体の第１の実施の形態となる往復はがきを示す図であり、（ａ）は表面から見た図、（ｂ）は内部構造を示す図、（ｃ）は裏面から見た図、（ｄ）は（ａ）に示したＡ−Ａ’断面図である。
【図２】図１に示した往復はがきの積層状態を示す図である。
【図３】図１及び図２に示した支持シートと音声情報記録／再生部とを積層した状態を示す図である。
【図４】図１に示した録音ボタンを介してスイッチを押下した場合の動作するための図であり、（ａ）はスイッチが押下されていない状態におけるスイッチ近傍の断面図、（ｂ）はスイッチが押下された状態におけるスイッチ近傍の断面図である。
【図５】図１に示した往復はがきが連接部を介して往信用はがきと返信用はがきとに切り離された状態における内部構造を示す図である。
【図６】本発明の音声情報送付体の第２の実施の形態となる往復はがきを示す図であり、（ａ）は表面から見た図、（ｂ）は内部構造を表面側から見た図、（ｃ）は裏面から見た図、（ｄ）は内部構造を裏面側から見た図、（ｅ）は（ａ）に示したＡ−Ａ’断面図である。
【図７】図６に示した往復はがきの積層状態を示す図である。
【図８】図６及び図７に示した支持シートと音声情報記録／再生部とを積層した状態を示す図である。
【符号の説明】
【００６７】
１，１０１    往復はがき
２    往信用はがき
３    返信用はがき
４    連接部
１０ａ，１０ｂ    表面シート
１１ａ，１１１    再生ボタン
１１ｂ    録音ボタン
１３    情報記入領域
１４，１１４    音声出力領域
１５    宛先情報記入領域
１６    宛先情報
１７    案内情報
２０ａ，２０ｂ    支持シート
２１ａ，２１ｂ，２２，２３，２４ａ，２４ｂ，１２１ａ，１２１ｂ，１２２，１２３，１２４ａ，１２４ｂ    穴
３０，１３０    音声情報記録／再生部
３１，１３１    ペーパー電池
３２，１３２    音声基板
３３ａ，３３ｂ，１３３    スイッチ
３４，１３４    ＩＣチップ
３５，１３５    接続端子
３７ａ〜３７ｅ，１３７ａ，１３７ｂ    配線パターン
３８    導電剤
４０，１４０    音声情報入出力部
５０    接続基板
５１    切り欠き
１１８    ミシン目
１４０    音声情報出力部
【図１】
2006001038.tif 000003
【図２】
2006001038.tif 000004
【図３】
2006001038.tif 000005
【図４】
2006001038.tif 000006
【図５】
2006001038.tif 000007
【図６】
2006001038.tif 000008
【図７】
2006001038.tif 000009
【図８】
2006001038.tif 000010